(57)【要約】【課題】簡単な構成で駆動コイルからの発生熱による反射面の歪みを防止できると共に、反射面の傾斜角度の調節機構を備えつつ小型化ができる反射面揺動機構を提供する。【解決手段】ハウジングに固定されたベース３１に、反射面３aを有するプリズム３を保持するプリズムホルダ３２を揺動自在に支持する。上記ベース３１に固定された駆動コイル内に挿入された永久磁石３３の一端を、プリズムホルダ３２に固定する。上記永久磁石３４aをベース３１に対してプリズムホルダ３２と反対側の方向に付勢する永久磁石３４aの他端に設けられたフランジ部３５とベース３１との間にコイルスプリング３６を縮装する。【選択図】図２Ｂ
2006133281.tif 000002
【特許請求の範囲】
【請求項１】
光学系を通過する光線を偏向させる反射面を有する光学素子と、上記光学素子の反射面を揺動させることにより反射光の光軸を制御する揺動手段を備えた反射面揺動機構であって、
上記揺動手段は、
上記光学系を保持するハウジングに固定されたベースと、
上記ベースに揺動自在に支持され、上記光学素子を保持する光学素子用ホルダと、
上記ベースに固定された駆動コイルと、
上記駆動コイル内に挿入され、上記光学素子用ホルダに一端が固定された永久磁石と、
上記永久磁石を上記ベースに関して上記光学素子用ホルダと反対側の方向に付勢する付勢部材とを有することを特徴とする反射面揺動機構。
【請求項２】
請求項１に記載の反射面揺動機構において、
上記揺動手段は、
上記永久磁石の他端に設けられたフランジ部を有し、
上記付勢部材は、上記フランジ部と上記ベースとの間に圧縮された状態で巻装されたコイルスプリングであることを特徴とする反射面揺動機構。
【請求項３】
請求項１または２に記載の反射面揺動機構において、
上記駆動コイルと上記永久磁石および上記付勢部材を１組とする駆動部は４組あって、その各駆動部が上記ベースにひし形に配置されていることを特徴とする反射面揺動機構。
【請求項４】
請求項１乃至３のいずれか１つに記載の反射面揺動機構において、
上記揺動手段は、
上記ベースまたは上記光学素子用ホルダのいずれか一方に設けられ、他方に向けて突出する突起部と、
上記ベースまたは上記光学素子用ホルダのいずれか他方に設けられ、上記突起部が当接する凹部を有し、
上記凹部内に当接した上記突起部の先端を支点にして上記光学素子用ホルダが上記ベースに揺動自在に支持されていることを特徴とする反射面揺動機構。
【請求項５】
請求項４に記載の反射面揺動機構において、
上記揺動手段は、
上記ベースに設けられた貫通穴に挿入され、一端が上記光学素子用ホルダに設けられたネジ穴に螺合する傾斜調節用ネジと、
上記傾斜調節用ネジの他端と上記ベースとの間に圧縮された状態で巻装された傾斜調節用スプリングとを有することを特徴とする反射面揺動機構。
【請求項６】
請求項５に記載の反射面揺動機構において、
上記傾斜調節用ネジと上記傾斜調節用スプリングを１組とする傾斜調節部は４組あって、その各傾斜調節部が上記ベースにひし形に配置され、上記ひし形の対角線の交点が上記突起部に略一致していることを特徴とする反射面揺動機構。
【請求項７】
請求項５に記載の反射面揺動機構において、
上記揺動手段は、
上記ベースに設けられた貫通穴に挿入され、一端が上記光学素子用ホルダに設けられたネジ穴に螺合する固定用ネジと、
上記ベースの上記貫通穴の近傍に形成され、上記固定用ネジが上記ベースの上記貫通穴に所定量以上没入しないようにする凸部とを有し、
上記傾斜調節用ネジと上記傾斜調節用スプリングを１組とする傾斜調節部は２組あり、上記固定用ネジと上記凸部を１組とする固定部は２組あって、上記傾斜調節部と上記固定部が対向するように上記ベースにひし形に配置され、上記ひし形の対角線の交点が上記突起部に略一致していることを特徴とする反射面揺動機構。
【請求項８】
請求項１乃至７のいずれか１つに記載の反射面揺動機構を用いたことを特徴とするカメラモジュール。
【発明の詳細な説明】
【技術分野】
【０００１】
この発明は、反射面揺動機構およびそれを用いたカメラモジュールに関し、特にスチルカメラやビデオカメラのカメラモジュールの手振れ補正装置等に使用する光軸制御装置の駆動機構に関するものである。
【背景技術】
【０００２】
スチルカメラまたはビデオカメラは年々小型,軽量化されつつある。一方、撮像素子も高画素化が進み、手振れの影響が明確にわかるようになってきた。また、ズーム機能により、更に手振れの影響が現れてきたため、それを補正する必要が増している。
【０００３】
図４は、手振れ補正機構を含まないズーム機能付きカメラモジュールを示すものである。図４を用いて、カメラモジュールの概略構成を説明する。図４に示すように、ハウジング１に、レンズ２,プリズム３およびレンズ４からなる第１群５が固定されている。また、レンズ６とレンズ７からなる第２群８は、レンズホルダ８aに保持され、図示しないフォーカス駆動機構により光軸方向に変位できる構造をしている。また、レンズ９,１０,１１からなる第３群１２は、レンズホルダ１２aに保持され、図示しないズーム駆動機構により光軸方向に変位できる構造となっており、全体の倍率を変えることができる。それらのレンズ系に続いて、シャッター機構１３、第４群レンズ１４、撮像素子１５がハウジング１に固定されている。
【０００４】
上記構成のカメラモジュールにおいて、レンズ２に入射した光は、プリズム３で反射され、２群レンズ８,３群レンズ１２および４群レンズ１４を通って撮像素子１５に入射し、像を形成する。
【０００５】
このような光学系において、プリズム３のような反射面を持つ光学素子の傾きを制御することで手振れ補正を行う反射面揺動機構として、図５(a),(b)に示すような先行技術がある(例えば、特許第２９８０５９９号(特許文献１)参照)。図５(a)は、カメラモジュール内での反射面揺動機構２４の位置を示しており、図５(b)は、反射面揺動機構２４の詳細図を示している。図５(b)において、永久磁石１７とヨーク１８からなる磁気回路はハウジング１に固定されており、磁気回路で発生する磁場と、紙面に対して素線が垂直になるように巻かれているコイル１９に流す電流により発生する電磁力によって反射面１６に回転モーメントを与え、球面座２０の中心まわりに反射面１６が傾くようになっている。ここで、コイル１９は、反射面１６と一体的に動作するように固定されている。また、球面座２０を有するホルダ２１は、ネジ２２と球面座２０との間をつなぐ引張バネ２３により球面座２０がハウジング１に常に接触するように付勢されている。
【０００６】
図５(a),(b)に示すような構成では、コイル１９が反射面１６と一体的に形成されており、コイル１９に電流を流すことにより発生する熱が反射面１６に伝導し、反射面１６の温度分布ムラにより反射面１６を歪ませる原因となる。この結果、撮像した像に歪みが発生してしまうという問題がある。また、光学系の調整において、図５に示すものは、反射面の傾斜角度調整するために、反射面揺動機構２４全体を調整することが必要となり、調整機構が大きくなるために小型化が困難であるという問題がある。
【特許文献１】特許第２９８０５９９号
【発明の開示】
【発明が解決しようとする課題】
【０００７】
そこで、この発明の目的は、簡単な構成で駆動コイルからの発生熱による反射面の歪みを防止できると共に、反射面の傾斜角度の調節機構を備えつつ小型化ができる反射面揺動機構を提供することにある。
【０００８】
また、この発明のもう１つの目的は、上記反射面揺動機構を用いることによって、撮像した像の歪みを容易に防止できる小型のカメラモジュールを提供することにある。
【課題を解決するための手段】
【０００９】
上記目的を達成するため、この発明の反射面揺動機構は、光学系を通過する光線を偏向させる反射面を有する光学素子と、上記光学素子の反射面を揺動させることにより反射光の光軸を制御する揺動手段を備えた反射面揺動機構であって、上記揺動手段は、上記光学系を保持するハウジングに固定されたベースと、上記ベースに揺動自在に支持され、上記光学素子を保持する光学素子用ホルダと、上記ベースに固定された駆動コイルと、上記駆動コイル内に挿入され、上記光学素子用ホルダに一端が固定された永久磁石と、上記永久磁石を上記ベースに関して上記光学素子用ホルダと反対側の方向に付勢する付勢部材とを有することを特徴とする。
【００１０】
上記構成の反射面揺動機構によれば、上記ベースに固定された駆動コイルに電流を流すと、駆動コイルの電流方向に応じて、駆動コイル内に挿入された永久磁石が、例えば光学素子用ホルダ側に付勢部材の付勢力に抗して没入するか、または、フランジ部側に付勢部材の付勢力と協働して突出する。そうして、上記永久磁石の一端が固定された光学素子用ホルダが押されたり引かれたりして、ベースに揺動自在に支持された光学素子用ホルダが回動し、光学素子用ホルダにより保持された光学素子の反射面を揺動させる。このように、上記駆動コイルが光学素子用ホルダとは離れた別体のベースに設けられているので、簡単な構成で駆動コイルからの発生熱による反射面の歪みを防止でき、反射面の傾斜角度の調節機構を備えつつ小型化ができる。
【００１１】
また、一実施形態の反射面揺動機構は、上記揺動手段が、上記永久磁石の他端に設けられたフランジ部を有し、上記付勢部材は、上記フランジ部と上記ベースとの間に圧縮された状態で巻装されたコイルスプリングであることを特徴とする。
【００１２】
上記実施形態の反射面揺動機構によれば、上記永久磁石の他端に設けられたフランジ部とベースとの間に圧縮された状態で巻装されたコイルスプリングによって、永久磁石をベースに対して光学素子用ホルダと反対側の方向に付勢するので、スペースを有効に利用して小型化ができる。
【００１３】
また、一実施形態の反射面揺動機構は、上記駆動コイルと上記永久磁石および上記付勢部材を１組とする駆動部は４組あって、その各駆動部が上記ベースにひし形に配置されていることを特徴とする。
【００１４】
上記実施形態の反射面揺動機構によれば、上記ひし形の対向する頂点に位置する駆動部対毎にほぼ独立に光学素子用ホルダの角度を制御でき、互いの制御の邪魔をされずに光学素子の反射面を正確に角度制御することができる。
【００１５】
また、一実施形態の反射面揺動機構は、上記揺動手段が、上記ベースまたは上記光学素子用ホルダのいずれか一方に設けられ、他方に向けて突出する突起部と、上記ベースまたは上記光学素子用ホルダのいずれか他方に設けられ、上記突起部が当接する凹部を有し、上記凹部内に当接した上記突起部の先端を支点にして上記光学素子用ホルダが上記ベースに揺動自在に支持されていることを特徴とする。
【００１６】
上記実施形態の反射面揺動機構によれば、上記凹部内に当接させた突起部の先端を支点として、ハウジングに固定されたベースにより光学素子用ホルダを一点で揺動自在に支持するので、複雑な機構部なしに光学素子用ホルダをあらゆる方向に揺動させることが可能となる。
【００１７】
また、一実施形態の反射面揺動機構は、上記揺動手段が、上記ベースに設けられた貫通穴に挿入され、一端が上記光学素子用ホルダに設けられたネジ穴に螺合する傾斜調節用ネジと、上記傾斜調節用ネジの他端と上記ベースとの間に圧縮された状態で巻装された傾斜調節用スプリングとを有することを特徴とする。
【００１８】
上記実施形態の反射面揺動機構によれば、上記ベースに設けられた貫通穴に挿入された傾斜調節用ネジの一端を、光学素子用ホルダに設けられたネジ穴に螺合させ、その傾斜調節用ネジの他端(例えばネジ頭)とベースとの間に傾斜調節用スプリングを圧縮させた状態で巻装することによって、傾斜調節用スプリングにより光学素子用ホルダをベース側の方向に付勢する力を傾斜調節用ネジにより調節することが可能となる。
【００１９】
また、一実施形態の反射面揺動機構は、上記傾斜調節用ネジと上記傾斜調節用スプリングを１組とする傾斜調節部は４組あって、その各傾斜調節部が上記ベースにひし形に配置され、上記ひし形の対角線の交点が上記突起部に略一致していることを特徴とする。
【００２０】
上記実施形態の反射面揺動機構によれば、上記ひし形の対向する頂点に位置する傾斜調節部対毎にほぼ独立に光学素子用ホルダの角度を制御でき、互いの制御の邪魔をされずに光学素子の反射面を正確に角度の調整ができることにより、調整作業の効率を向上できる。
【００２１】
また、一実施形態の反射面揺動機構は、上記揺動手段が、上記ベースに設けられた貫通穴に挿入され、一端が上記光学素子用ホルダに設けられたネジ穴に螺合する固定用ネジと、上記ベースの上記貫通穴の近傍に形成され、上記固定用ネジが上記べースの上記貫通穴に所定量以上没入しないようにする凸部とを有し、上記傾斜調節用ネジと上記傾斜調節用スプリングを１組とする傾斜調節部は２組あり、上記固定用ネジと上記凸部を１組とする固定部は２組あって、上記傾斜調節部と上記固定部が対向するように上記ベースにひし形に配置され、上記ひし形の対角線の交点が上記突起部に略一致していることを特徴とする。
【００２２】
上記実施形態の反射面揺動機構によれば、上記ひし形の対向する頂点に位置する傾斜調節部と固定部の対毎にほぼ独立に光学素子用ホルダの角度を制御でき、互いの制御の邪魔をされずに光学素子の反射面を正確に角度の調整ができることにより、調整作業の効率を向上できる。また、上記光学素子の反射面の角度は傾斜調節用ネジの２つのみで調整することが可能となり、調整作業の効率をさらに向上できる。
【００２３】
また、この発明のカメラモジュールは、上記いずれか１つの反射面揺動機構を用いたことを特徴とする。
【００２４】
上記構成のカメラモジュールによれば、簡単な構成で反射面の歪み防止と小型化が可能な上記反射面揺動機構を用いることによって、撮像した像の歪みを容易に防止できる小型のカメラモジュールを実現できる。
【発明の効果】
【００２５】
以上より明らかなように、この発明の反射面揺動機構およびそれを用いたカメラモジュールによれば、発熱源である駆動コイルが反射面とは離れた場所のベースに設けられているため、熱が反射面に伝わらず、反射面の温度分布ムラが発生しないため、光学素子の反射面での歪みを無くすることができ、良好な撮像が可能となる。
【００２６】
また、上記光学素子の反射面の傾斜を調整する傾斜調節用ネジと傾斜調節用スプリングを反射面揺動機構に内蔵でき、全体をコンパクトに形成することができる。
【発明を実施するための最良の形態】
【００２７】
以下、この発明の反射面揺動機構およびそれを用いたカメラモジュールを図示の実施の形態により詳細に説明する。
【００２８】
(第１実施形態)
図１はこの発明の第１実施形態の反射面揺動機構を用いた手振れ補正機能付きカメラモジュールの概略構成図を示している。この第１実施形態の反射面揺動機構を用いた手振れ補正機能付きカメラモジュールは、反射面揺動機構を除いて図４に示すカメラモジュールと同一の構成をしており、同一構成部は、同一参照番号を付して説明を省略する。
【００２９】
図１に示す手振れ補正機能付きカメラモジュールは、手振れ補正のため、光学素子の一例としてのプリズム３とそのプリズム３に接着されたレンズ４からなる反射光学素子の傾きを変化させる反射面揺動機構３０を搭載している。図１において、反射面揺動機構のベース３１をカメラモジュールのハウジング１に固定している。
【００３０】
また、図２Ａ〜図２Ｃは図１におけるａ部の詳細図であり、図２Ａは図１における矢印Ｅから見た図を示している。また、図２Ｂは図２ＡのIIB−IIB線から見た断面を示し、図２Ｃは図２ＡのIIC−IIC線から見た断面を示している。以下に、図２Ａ〜図２Ｃによって反射面揺動機構３０を説明する。
【００３１】
図２Ｂにおいて、反射面３aを有するプリズム３は、光学素子用ホルダの一例としてのプリズムホルダ３２に接着剤等により固定されている。上記プリズムホルダ３２に軸方向に着磁された永久磁石３３a,３３b,３３c,３３dの一端を固定し、プリズムホルダ３２の略中央部に突起部３７を形成している。また、ベース３１には、プリズムホルダ３２の突起部３７に対向する位置に凹部３８を設けている。上記プリズムホルダ３２の突起部３７が付勢されるように、永久磁石３３に設けたフランジ部３５とベース３１の間に巻装された付勢部材の一例としてのコイルスプリング３６により予圧がかけられている。上記プリズムホルダ３２の突起部３７とベース３１の凹部３８により、プリズムホルダ３２が傾く支点が形成される。
【００３２】
また、図２Ａ,図２Ｂに示すように、ベース３１には、内部に駆動コイル３４a,３４b,３４c,３４dが形成されており、駆動コイル３４a〜３４dの中央の開口３９に永久磁石３３a,３３b,３３c,３３dが通っている。上記駆動コイル３４a〜３４dに電流を流すことによって、軸方向に着磁された永久磁石３３a〜３３dは軸方向の電磁力が発生する。その電磁力とコイルスプリング３６の力がつりあうことにより、プリズム３の傾き角度が決定される。このようにして駆動コイル３４a〜３４dに流す電流を制御して、プリズム３の傾きを所定の角度に調整する。
【００３３】
ここで、図２Ａ,図２Ｂに示すように、永久磁石３３aと駆動コイル３４aおよびコイルスプリング３６を１組とする駆動部と、永久磁石３３bと駆動コイル３４bおよびコイルスプリング３６を１組とする駆動部と、永久磁石３３cと駆動コイル３４cおよびコイルスプリング３６を１組とする駆動部と、永久磁石３３dと駆動コイル３４dおよびコイルスプリング３６を１組とする駆動部を、対角線が略直交する略ひし形になるようにかつ対角線の交点が凹部３８(突起部３７)に略一致するように、ベース３１に配置している。この結果、永久磁石３３a,駆動コイル３４aおよび永久磁石３３c,駆動コイル３４cで決まるプリズム３の角度と、永久磁石３３b,駆動コイル３４bおよび永久磁石３３d,駆動コイル３４dで決まるプリズム３の角度は、それぞれほぼ独立に制御でき、互いの制御の邪魔をされずにプリズム３を正確に角度制御することができる。例えば、駆動コイル３４aに電流を流して、永久磁石３３aをプリズムホルダ３２側に突出させる一方、駆動コイル３４cに電流を流して、永久磁石３３cをフランジ部３５側に突出させることにより、２つの駆動コイル３４a,３４cの中心軸を通る平面に沿ってプリズムホルダ３２を回動させる。同様、２つの駆動コイル３４b,３４dの中心軸を通る平面に沿ってプリズムホルダ３２を回動させる。
【００３４】
次に、プリズム３の初期調整について説明する。
【００３５】
上記手振れ補正機能付きカメラモジュールの組立時には、カメラモジュールの光学性能を最適にするため、プリズム３は角度調整が必要となる。
【００３６】
この第１実施形態の反射面揺動機構３０では、図２Ａ,図２Ｃに示すように、プリズムホルダ３２の４箇所にネジ穴３２aを設け、そのネジ穴３２aに傾斜調節用ネジの一例としての調整ネジ４０e,４０f,４０g,４０hを夫々螺合している。また、調整ネジ４０e〜４０hの頭部とベース３１との間に傾斜調節用スプリングの一例としての押圧用スプリング４１e,４１f,４１g,４１hを設けている。上記調整ネジ４０e〜４０hおよび押圧用スプリング４１e〜４１hによって４組の傾斜調節部を構成している。すなわち、これら４組の傾斜調節部を、ひし形(図２Ａでは四角形)の対角線が略直交するように配置することによって、調整ネジ４０e,４０gと押圧用スプリング４１e,４１gで調整できる方向と、調整ネジ４０f,４０hと押圧用スプリング４１f,４１hで調整できる方向がほぼ直交することとなる。例えば、調整ネジ４０e,４０gの一方を締めて他方を緩めることにより２つの調整ネジ４０e,４０gの中心を通る平面に沿ってプリズムホルダ３２が回動する。同様に、調整ネジ４０f,４０hの一方を締めて他方を緩めることにより２つの調整ネジ４０f,４０hの中心を通る平面に沿ってプリズムホルダ３２が回動する。
【００３７】
このことから、プリズム３の角度をほぼ独立に調整できることになり、効率の高い調整作業が可能となる。
【００３８】
上記構成の反射面揺動機構によれば、駆動コイル３４a〜３４dがプリズムホルダ３２とは離れた別体のベース３１に設けられているので、駆動コイル３４a〜３４dから発生する熱により反射面３aの歪みを防止でき、簡単な構成で小型化ができる。
【００３９】
また、上記永久磁石３３a〜３３dの他端に設けられたフランジ部３５とベース３１との間に圧縮された状態で巻装されたコイルスプリング３６によって、永久磁石３３a〜３３dをベース３１に対してプリズムホルダ３２と反対側の方向に付勢するので、スペースを有効に利用して小型化ができる。
【００４０】
また、上記駆動コイルと永久磁石およびコイルスプリングを１組とする駆動部を４組用いて、その各駆動部がベース３１にひし形に配置され、上記ひし形の対向する頂点に位置する駆動部対毎にほぼ独立にプリズムホルダ３２の角度を制御でき、互いの制御の邪魔をされずにプリズム３の反射面３aを正確に角度制御することができる。
【００４１】
また、上記凹部３８内に当接させた突起部３７の先端を支点として、ハウジングに固定されたベース３１によりプリズムホルダ３２を一点で揺動自在に支持するので、複雑な機構部を用いることなくプリズムホルダ３２をあらゆる方向に揺動させることが可能となる。
【００４２】
また、上記ベース３１に設けられた貫通穴３１aに挿入された調整ネジ４０e〜４０hの一端をプリズムホルダ３２に設けられたネジ穴３２aに螺合させ、その調整ネジ４０e〜４０hの他端のネジ頭とベース３１との間に押圧用スプリング４１e〜４１hを縮装することによって、押圧用スプリング４１e〜４１hの付勢力によりプリズムホルダ３２をベース３１側に引きつける力を、調整ネジ４０e〜４０hにより調節することが可能となる。
【００４３】
また、上記調整ネジと押圧用スプリングを１組とする傾斜調節部を４組用いて、その各傾斜調節部をベース３１にひし形に配置し、上記ひし形の対角線の交点を突起部３７に略一致させることによって、上記ひし形の対向する頂点に位置する傾斜調節部対毎にほぼ独立にプリズムホルダ３２の角度を制御でき、互いの制御の邪魔をされずにプリズム３の反射面３aを正確に角度の調整ができることにより、調整作業の効率を向上できる。
【００４４】
また、簡単な構成でプリズム３の反射面３aの歪み防止と小型化が可能な反射面揺動機構３０を用いることによって、撮像した像の歪みを容易に防止できる小型化のカメラモジュールを実現することができる。
【００４５】
(第２実施形態)
次に、この発明の第２実施形態の反射面揺動機構を、図３Ａ〜図３Ｃを用いて説明する。図３Ａは図１における矢印Ｅから見た図を示している。また、図３Ｂは図３ＡのIIIB−IIIB線から見た断面を示し、図３Ｃは図３ＡのIIIC−IIIC線から見た断面を示している。この第２実施形態の反射面揺動機構は、ベースの凸部を除いて第１実施形態の反射面揺動機構と同一の構成をしており、同一構成部に同一参照番号を付して説明を省略する。
【００４６】
図３Ａ,図３Ｃにおいて、ベース３１に２箇所の円筒形状の凸部４２e,４２fを設け、その部分には第１実施形態で示した押圧用スプリング４１e,４１fを省略して、調整ネジ４０e,４０fは締めきる構造とする。
【００４７】
このように、調整ネジ４０e〜４０hと押圧用スプリング４１e〜４１hの各組のうちの隣接する２組の調整ネジ４０e〜４０hがべース３１の貫通穴３１aに所定量以上没入しないようにする凸部４２e,４２fがベース３１の貫通穴３１aの近傍に形成することによって、プリズム３の反射面３aの角度は調整ネジ４０g,４０hの２つのみで調整することが可能となり、調整作業の効率をさらに向上できる。
【００４８】
また、上記第２実施形態の反射面揺動機構は、第１実施形態の反射面揺動機構と同様の効果を有する。
【００４９】
上記第１,第２実施形態では、駆動コイル３４a〜３４dと永久磁石３３a〜３３dおよびコイルスプリングを１組とする駆動部を４組とし、各駆動部をひし形に配置したが、駆動コイルと永久磁石およびコイルスプリングを１組とする駆動部は４組に限らず、光学素子の反射面の傾斜方向などに応じて１組または２組であってもよいし、３組であってもよく、３組の駆動部を正三角形状に配置してもよい。
【００５０】
また、上記第１,第２実施形態では、フランジ部３５とベース３１の間に縮装されたコイルスプリング３６を用いた反射面揺動機構について説明したが、永久磁石をベースに関して光学素子用ホルダ側と反対側の方向に付勢する付勢部材はこれに限らず、板ばねやゴム等の他の弾性部材を用いてもよい。
【産業上の利用可能性】
【００５１】
この発明は、小型で調整容易な構造としてカメラモジュールの手振れ補正機構だけではなく、レーザ光の偏向装置に利用可能である。
【図面の簡単な説明】
【００５２】
【図１】図１はこの発明の第１実施形態の反射面揺動機構を用いた手振れ補正機能付きカメラモジュールの概略構成図である。
【図２Ａ】図２Ａは上記反射面揺動機構の詳細図である。
【図２Ｂ】図２Ｂは図２ＡのIIB−IIB線から見た断面図である。
【図２Ｃ】図２Ｃは図２ＡのIIC−IIC線から見た断面図である。
【図３Ａ】図３Ａはこの発明の第２実施形態の反射面揺動機構の詳細図である。
【図３Ｂ】図３Ｂは図３ＡのIIIB−IIIB線から見た断面図である。
【図３Ｃ】図３Ｃは図３ＡのIIIC−IIIC線から見た断面図である。
【図４】図４は手振れ補正機構を持たないカメラモジュールの概略構成図である。
【図５】図５は従来の反射面揺動機構の説明図である。
【符号の説明】
【００５３】
１…ハウジング
２,４,６,７,９,１０,１１,１４…レンズ
３…プリズム
３a…反射面
５…第１群
８…第２群
８a…レンズホルダ
１２…第３群
１２a…レンズホルダ
１３…シャッター機構
１５…撮像素子
１６…反射面
１７…永久磁石
１８…ヨーク
１９…コイル
２０…球面座
２１…ホルダ
２２…ネジ
３０…反射面揺動機構
３１…ベース
３１a…貫通穴
３２…プリズムホルダ
３２a…ネジ穴
３３a,３３b,３３c,３３d…永久磁石
３４a,３４b,３４c,３４d…駆動コイル
３５…フランジ部
３６…コイルスプリング
３７…突起部
３８…凹部
３９…開口
４０e,４０f,４０g,４０h…調整ネジ
４１e,４１f,４１g,４１h…押圧用スプリング
４２e,４２f…凸部
【図１】
2006133281.tif 000003
【図２Ａ】
2006133281.tif 000004
【図２Ｂ】
2006133281.tif 000005
【図２Ｃ】
2006133281.tif 000006
【図３Ａ】
2006133281.tif 000007
【図３Ｂ】
2006133281.tif 000008
【図３Ｃ】
2006133281.tif 000009
【図４】
2006133281.tif 000010
【図５】
2006133281.tif 000011